(57)【要約】【課題】  要修繕箇所を自動的に見出し、地図上に表示することによって、舗装の維持修繕計画の策定をより容易かつ客観的なものにすることを支援する支援装置及び支援方法を提供することを課題とする。【解決手段】  舗装路面の撮像画像中に存在するパターンが亀甲状ひび割れであるか否かを識別する手段又は工程、識別された亀甲状ひび割れの位置を求める手段又は工程、管理対象道路に複数の評価区間を設定する手段又は工程、設定された評価区間内に亀甲状ひび割れが存在するか否かを判断する手段又は工程、亀甲状ひび割れが存在する評価区間に要修繕箇所存在信号が表示された地図データを生成し、出力する手段又は工程を含む支援装置又は支援方法を提供することによって上記の課題を解決する。【選択図】  図１
2018154986.tif 000002
【特許請求の範囲】
【請求項１】
下記（Ａ）〜（Ｆ）の手段を備えている舗装の維持修繕計画策定支援装置；
（Ａ）舗装路面の撮像画像中に認識されたパターンが亀甲状ひび割れであるか否かを識別し、亀甲状ひび割れであると識別されたとき、亀甲状ひび割れ識別信号ｋｎ（但し、ｎは整数。以下、同じ。）を出力する手段、
（Ｂ）前記撮像画像の地図上での位置座標に基づいて、亀甲状ひび割れ識別信号ｋｎが出力されたパターンの地図上での位置を求め、亀甲状ひび割れＫｎの位置ＫＰｎとして記憶装置に記憶する手段、
（Ｃ）管理対象道路を、選択された任意の地点Ｂを基準位置として、道路延長方向に沿った長さＬの区間に分割し、１又は複数の評価区間Ｗｍ（但し、ｍは整数。以下、同じ。）を設定する手段、
（Ｄ）管理対象道路の地図上での存在位置についての情報、前記地点Ｂの位置についての情報、及び前記長さＬに基づいて求められる評価区間Ｗｍの地図上での位置と、前記記憶装置に記憶されている亀甲状ひび割れＫｎの位置ＫＰｎに基づいて、それぞれの評価区間Ｗｍと、それぞれの評価区間Ｗｍ内に存在すると判断される１又は複数の亀甲状ひび割れＫｎとを関連付ける手段、
（Ｅ）関連付けられた亀甲状ひび割れＫｎが存在する評価区間Ｗｍについて、要修繕箇所存在信号Ｘｍを生成し、対応する評価区間Ｗｍと関連付けて記憶装置に記憶させる手段、
（Ｆ）前記記憶装置に記憶されている評価区間Ｗｍとそれと関連付けられた要修繕箇所存在信号Ｘｍとに基づいて、管理対象道路における対応する評価区間Ｗｍに相当する位置に要修繕箇所存在信号Ｘｍが表示された地図データを生成し、出力する手段。
【請求項２】
さらに、下記（Ｇ）〜（Ｊ）の手段を備えている請求項１記載の舗装の維持修繕計画策定支援装置；
（Ｇ）舗装路面の撮像画像中に認識されたパターンが補修跡であるか否かを識別し、補修跡であると識別されたとき、補修跡識別信号ｒｎを出力する手段、
（Ｈ）前記撮像画像の地図上での位置座標に基づいて、補修跡識別信号ｒｎが出力されたパターンの地図上での位置を求め、補修跡Ｒｎの位置ＲＰｎとして記憶装置に記憶する手段、
（Ｉ）管理対象道路の地図上での存在位置についての情報、前記地点Ｂの位置についての情報、及び前記長さＬに基づいて求められる評価区間Ｗｍの地図上での位置と、前記記憶装置に記憶されている補修跡Ｒｎの位置ＲＰｎに基づいて、それぞれの評価区間Ｗｍと、それぞれの評価区間Ｗｍ内に存在すると判断される１又は複数の補修跡Ｒｎとを関連付ける手段、
（Ｊ）関連付けられた補修跡Ｒｎが存在する評価区間Ｗｍについて、要修繕箇所存在信号Ｘｍが未だ生成されていないときには、要修繕箇所存在信号Ｘｍを生成し、対応する評価区間Ｗｍと関連付けて記憶装置に記憶させる手段。
【請求項３】
さらに、下記（Ｋ）の手段を備えている請求項１又は２記載の舗装の維持修繕計画策定支援装置；
（Ｋ）評価区間Ｗｍを選択する選択入力があったとき、選択された評価区間Ｗｍと関連付けられている亀甲状ひび割れＫｎ及び／又は補修跡Ｒｎについての情報を出力する手段であって、前記情報が当該評価区間Ｗｍと関連付けられている亀甲状ひび割れＫｎの数又は位置ＫＰｎ、及び／又は、当該評価区間Ｗｍと関連付けられている補修跡Ｒｎの数又は位置ＲＰｎを含む手段。
【請求項４】
さらに、下記（Ｌ）〜（Ｎ）の手段を備えている請求項３記載の舗装の維持修繕計画策定支援装置；
（Ｌ）前記撮像画像上での長さと舗装路面上での長さとの対応関係についての情報に基づいて、亀甲状ひび割れ識別信号ｋｎ又は補修跡識別信号ｒｎが出力されたパターンの舗装路面上での面積を求め、亀甲状ひび割れＫｎの面積ＫＡｎ又は補修跡Ｒｎの面積ＲＡｎとして記憶装置に記憶する手段、
（Ｍ）それぞれの評価区間Ｗｍについて、関連付けられている全亀甲状ひび割れＫｎ又は全補修跡Ｒｎの面積を、それぞれ、評価区間ごとに積算し、それぞれの評価区間Ｗｍにおける亀甲状ひび割れＫｎの合計面積ＫＴＡｍ又は補修跡Ｒｎの合計面積ＲＴＡｍとして記憶装置に記憶する手段、
（Ｎ）前記（Ｋ）の手段であって、出力される亀甲状ひび割れＫｎ又は補修跡Ｒｎについての前記情報が、さらに、当該評価区間Ｗｍと関連付けられている個々の亀甲状ひび割れＫｎの面積ＫＡｎ及び／又は合計面積ＫＴＡｍ、又は当該評価区間Ｗｍと関連付けられている個々の補修跡Ｒｎの面積ＲＡｎ及び／又は合計面積ＲＴＡｍを含む手段。
【請求項５】
さらに、下記（Ｏ）の手段を備えている請求項４記載の舗装の維持修繕計画策定支援装置；
（Ｏ）個々の評価区間Ｗｍにおける亀甲状ひび割れＫｎの合計面積ＫＴＡｍ、補修跡Ｒｎの合計面積ＲＴＡｍ、又はＫＴＡｍとＲＴＡｍの加算値を、その大きさに応じて、２つ以上のランクに分け、該当するランクに応じて、個々の評価区間Ｗｍについて生成される要修繕箇所存在信号Ｘｍを異ならせる手段。
【請求項６】
さらに、下記（Ｐ）の手段を備えている請求項１〜５のいずれかに記載の舗装の維持修繕計画策定支援装置；
（Ｐ）評価区間Ｗｍを選択する選択入力があったとき、選択された評価区間Ｗｍに対応する舗装路面の撮像画像、又は認識されたパターンを重ね合わせた前記舗装路面の撮像画像を出力する手段。
【請求項７】
さらに、下記（Ｑ）の手段を備えている請求項１〜６のいずれかに記載の舗装の維持修繕計画策定支援装置；
（Ｑ）前記長さＬを外部からの入力に基づいて変更する手段。
【請求項８】
下記（ａ）〜（ｆ）の工程を含む舗装の維持修繕計画策定支援方法；
（ａ）舗装路面の撮像画像中に認識されたパターンが亀甲状ひび割れであるか否かを識別し、亀甲状ひび割れであると識別されたとき、亀甲状ひび割れ識別信号ｋｎを出力する工程、
（ｂ）前記撮像画像の地図上での位置座標に基づいて、亀甲状ひび割れ識別信号ｋｎが出力されたパターンの地図上での位置を求め、亀甲状ひび割れＫｎの位置ＫＰｎとして記憶装置に記憶する工程、
（ｃ）管理対象道路を、選択された任意の地点Ｂを基準位置として、道路延長方向に沿った長さＬの区間に分割し、１又は複数の評価区間Ｗｍを設定する工程、
（ｄ）管理対象道路の地図上での存在位置についての情報、前記地点Ｂの位置についての情報、及び前記長さＬに基づいて求められる評価区間Ｗｍの地図上での位置と、前記記憶装置に記憶されている亀甲状ひび割れＫｎの位置ＫＰｎに基づいて、それぞれの評価区間Ｗｍと、それぞれの評価区間Ｗｍ内に存在すると判断される１又は複数の亀甲状ひび割れＫｎとを関連付ける工程、
（ｅ）関連付けられた亀甲状ひび割れＫｎが存在する評価区間Ｗｍについて、要修繕箇所存在信号Ｘｍを生成し、対応する評価区間Ｗｍと関連付けて記憶装置に記憶させる工程、
（ｆ）前記記憶装置に記憶されている評価区間Ｗｍとそれと関連付けられた要修繕箇所存在信号Ｘｍとに基づいて、管理対象道路における対応する評価区間Ｗｍに相当する位置に要修繕箇所存在信号Ｘｍが表示された地図データを生成し、出力する工程。
【請求項９】
さらに下記（ｇ）〜（ｊ）の工程を含む請求項８記載の舗装の維持修繕計画策定支援方法；
（ｇ）舗装路面の撮像画像中に認識されたパターンが補修跡であるか否かを識別し、補修跡であると識別されたとき、補修跡識別信号ｒｎを出力する工程、
（ｈ）前記撮像画像の地図上での位置座標に基づいて、補修跡識別信号ｒｎが出力されたパターンの地図上での位置を求め、補修跡Ｒｎの位置ＲＰｎとして記憶装置に記憶する工程、
（ｉ）管理対象道路の地図上での存在位置についての情報、前記地点Ｂの位置についての情報、及び前記長さＬに基づいて求められる評価区間Ｗｍの地図上での位置と、前記記憶装置に記憶されている補修跡Ｒｎの位置ＲＰｎに基づいて、それぞれの評価区間Ｗｍと、それぞれの評価区間Ｗｍ内に存在すると判断される１又は複数の補修跡Ｒｎとを関連付ける工程、
（ｊ）関連付けられた補修跡Ｒｎが存在する評価区間Ｗｍについて、要修繕箇所存在信号Ｘｍが未だ生成されていないときには、要修繕箇所存在信号Ｘｍを生成し、対応する評価区間Ｗｍと関連付けて記憶装置に記憶させる工程。
【請求項１０】
さらに、下記（ｋ）の工程を含む請求項８又は９記載の舗装の維持修繕計画策定支援方法；
（ｋ）評価区間Ｗｍを選択する選択入力があったとき、選択された評価区間Ｗｍと関連付けられている亀甲状ひび割れＫｎ及び／又は補修跡Ｒｎについての情報を出力する工程であって、前記情報が当該評価区間Ｗｍと関連付けられている亀甲状ひび割れＫｎの数又は位置ＫＰｎ、及び／又は、当該評価区間Ｗｍと関連付けられている補修跡Ｒｎの数又は位置ＲＰｎを含む工程。
【請求項１１】
さらに、下記（ｌ）〜（ｎ）の工程を含む請求項１０記載の舗装の維持修繕計画策定支援方法；
（ｌ）前記撮像画像上での長さと舗装路面上での長さとの対応関係についての情報に基づいて、亀甲状ひび割れ識別信号ｋｎ又は補修跡識別信号ｒｎが出力されたパターンの舗装路面上での面積を求め、亀甲状ひび割れＫｎの面積ＫＡｎ又は補修跡Ｒｎの面積ＲＡｎとして記憶装置に記憶する工程、
（ｍ）それぞれの評価区間Ｗｍについて、関連付けられている全亀甲状ひび割れＫｎ又は全補修跡Ｒｎの面積を、それぞれ、評価区間ごとに積算し、それぞれの評価区間Ｗｍにおける亀甲状ひび割れＫｎの合計面積ＫＴＡｍ又は補修跡Ｒｎの合計面積ＲＴＡｍとして記憶装置に記憶する工程、
（ｎ）前記（ｋ）の工程であって、出力される亀甲状ひび割れＫｎ又は補修跡Ｒｎについての前記情報が、さらに、当該評価区間Ｗｍと関連付けられている個々の亀甲状ひび割れＫｎの面積ＫＡｎ及び／又は合計面積ＫＴＡｍ、又は当該評価区間Ｗｍと関連付けられている個々の補修跡Ｒｎの面積ＲＡｎ及び／又は合計面積ＲＴＡｍを含む工程。
【請求項１２】
さらに、下記（ｏ）の工程を含む請求項１１記載の舗装の維持修繕計画策定支援方法；
（ｏ）個々の評価区間Ｗｍにおける亀甲状ひび割れＫｎの合計面積ＫＴＡｍ、補修跡Ｒｎの合計面積ＲＴＡｍ、又はＫＴＡｍとＲＴＡｍの加算値を、その大きさに応じて、２つ以上のランクに分け、該当するランクに応じて、個々の評価区間Ｗｍについて生成される要修繕箇所存在信号Ｘｍを異ならせる工程。
【請求項１３】
さらに、下記（ｐ）の工程を含む請求項８〜１２のいずれかに記載の舗装の維持修繕計画策定支援方法；
（ｐ）評価区間Ｗｍを選択する選択入力があったとき、選択された評価区間Ｗｍに対応する舗装路面の撮像画像、又は認識されたパターンを重ね合わせた前記舗装路面の撮像画像を出力する工程。
【請求項１４】
さらに、下記（ｑ）の工程を備えている請求項８〜１３のいずれかに記載の舗装の維持修繕計画策定支援方法；
（ｑ）前記長さＬを外部からの入力に基づいて変更する工程。
【請求項１５】
１又は複数のコンピュータに請求項８〜１４のいずれかに記載の舗装の維持修繕計画策定支援方法を実行させるコンピュータプログラム。
【発明の詳細な説明】
【技術分野】
【０００１】
本発明は、舗装の維持修繕計画策定支援装置並びに支援方法に関し、詳細には、路面の撮像画像から早急に対策を講じなければならない舗装の損傷箇所を自動的に抽出し、地図上に表示することで、舗装の維持修繕計画の策定を容易にする舗装の維持修繕計画策定支援装置と支援方法に関する。
【背景技術】
【０００２】
道路舗装は、使用に供された直後から車両の通行や、紫外線、雨水などの影響を受けて劣化が始まるといわれており、舗装道路の社会インフラとしての機能を維持管理していく上では、定期的な現状把握と評価、及びそれらに基づく適切な対応が不可欠である。しかしながら、国や地方自治体が管理する舗装道路の総延長は膨大であり、管理下にある舗装道路の劣化の程度を正確に把握して、適切な維持修繕計画を策定するのは並大抵のことではない。
【０００３】
このため、従来から、舗装の維持修繕計画の策定を少しでも効率良く行うことを可能にするための技術が、いくつか提案されている。例えば、特許文献１には、ＧＰＳ機能を備えるカメラ付携帯電話を所持する多数の人から提供される舗装の損傷状態や位置に関する情報を一箇所で集約し、地図上に表示することによって、道路管理者の視点で道路の損傷に関する情報を把握、管理し易くした道路管理システムが、また、特許文献２には、道路管理者によって行われる定期点検の結果を表す定期点検情報に加えて、不特定多数の投稿者から投稿される道路状態情報に含まれるキーワードの種類によって修理優先度を算出するようにした道路維持管理システムが、それぞれ開示されている。
【０００４】
しかしながら、これら従来から提案されている道路管理システムは、いわば報告者や投稿者の主観に重きをおいて、寄せられた情報の重み付けを行うものであり、客観性のある維持修繕計画を策定する上では、信頼性の点で物足りなさが残る。
【０００５】
一方、特許文献３には、検査車両が舗装路面を走行することによって検出された舗装のＩＲＩ値（路面の凹凸の程度を表す値）、ひび割れ率、轍の深さなどのパラメータに基づいて要補修箇所を抽出し、基準状態を超える要補修箇所に修理費用を割り当てることで、補修に掛かる費用をシミュレーションするようにした路面補修支援装置が開示されている。しかしながら、特許文献３に開示されている路面補修支援装置では、専ら補修工費の合計金額の面から要補修箇所が取捨選択されることになり、真に緊急を要する補修箇所であっても補修対象から外されてしまう可能性がある。
【先行技術文献】
【特許文献】
【０００６】
【特許文献１】特開２００６−１１２１２７号公報
【特許文献２】特開２０１６−８９５９３号公報
【特許文献３】特開２０１５−７３４１号公報
【発明の概要】
【発明が解決しようとする課題】
【０００７】
本発明は、上記従来技術の状況に鑑みに為されたもので、客観的に把握される道路舗装の劣化状態に基づいて、真に緊急性を要する要修繕箇所を自動的に見出し、地図上に表示することによって、道路管理者による舗装の維持修繕計画の策定をより容易かつ客観的なものにすることを支援する舗装の維持修繕計画策定支援装置及び支援方法、さらには、前記支援方法を実現するコンピュータプログラムを提供することを課題とするものである。
【課題を解決するための手段】
【０００８】
上記課題を解決すべく、鋭意研究と試行錯誤を重ねた結果、本発明者らは、舗装道路のひび割れ、中でも特に亀甲状ひび割れと呼ばれるひび割れが、路面の表層だけでなく、基層や路盤にまで及ぶ構造破損を反映していることが多いという事実に鑑み、舗装路面を撮像した撮像画像から、パターン認識技術によって亀甲状ひび割れを識別、抽出するとともに、その位置データを得、地図上に表示することによって、真に緊急性を要する要修繕箇所が管理対象道路のどの位置にあるかを道路管理者が容易に把握することができることを見出した。
【０００９】
すなわち、本発明は、下記（Ａ）〜（Ｆ）の手段を備えている舗装の維持修繕計画策定支援装置（以下、単に「支援装置」ということがある）を提供することによって上記課題を解決するものである；
（Ａ）舗装路面の撮像画像中に認識されたパターンが亀甲状ひび割れであるか否かを識別し、亀甲状ひび割れであると識別されたとき、亀甲状ひび割れ識別信号ｋｎ（但し、ｎは整数。以下、同じ。）を出力する手段、
（Ｂ）前記撮像画像の地図上での位置座標に基づいて、亀甲状ひび割れ識別信号ｋｎが出力されたパターンの地図上での位置を求め、亀甲状ひび割れＫｎの位置ＫＰｎとして記憶装置に記憶する手段、
（Ｃ）管理対象道路を、選択された任意の地点Ｂを基準位置として、道路延長方向に沿った長さＬの区間に分割し、１又は複数の評価区間Ｗｍ（但し、ｍは整数。以下、同じ。）を設定する手段、
（Ｄ）管理対象道路の地図上での存在位置についての情報、前記地点Ｂの位置についての情報、及び前記長さＬに基づいて求められる評価区間Ｗｍの地図上での位置と、前記記憶装置に記憶されている亀甲状ひび割れＫｎの位置ＫＰｎに基づいて、それぞれの評価区間Ｗｍと、それぞれの評価区間Ｗｍ内に存在すると判断される１又は複数の亀甲状ひび割れＫｎとを関連付ける手段、
（Ｅ）関連付けられた亀甲状ひび割れＫｎが存在する評価区間Ｗｍについて、要修繕箇所存在信号Ｘｍを生成し、対応する評価区間Ｗｍと関連付けて記憶装置に記憶させる手段、
（Ｆ）前記記憶装置に記憶されている評価区間Ｗｍとそれと関連付けられた要修繕箇所存在信号Ｘｍとに基づいて、管理対象道路における対応する評価区間Ｗｍに相当する位置に要修繕箇所存在信号Ｘｍが表示された地図データを生成し、出力する手段。
【００１０】
また、本発明は、下記（ａ）〜（ｆ）の工程を含む舗装の維持修繕計画策定支援方法（以下、単に「支援方法」ということがある）を提供することによって上記課題を解決するものである；
（ａ）舗装路面の撮像画像中に認識されたパターンが亀甲状ひび割れであるか否かを識別し、亀甲状ひび割れであると識別されたとき、亀甲状ひび割れ識別信号ｋｎを出力する工程、
（ｂ）前記撮像画像の地図上での位置座標に基づいて、亀甲状ひび割れ識別信号ｋｎが出力されたパターンの地図上での位置を求め、亀甲状ひび割れＫｎの位置ＫＰｎとして記憶装置に記憶する工程、
（ｃ）管理対象道路を、選択された任意の地点Ｂを基準位置として、道路延長方向に沿った長さＬの区間に分割し、１又は複数の評価区間Ｗｍを設定する工程、
（ｄ）管理対象道路の地図上での存在位置についての情報、前記地点Ｂの位置についての情報、及び前記長さＬに基づいて求められる評価区間Ｗｍの地図上での位置と、前記記憶装置に記憶されている亀甲状ひび割れＫｎの位置ＫＰｎに基づいて、それぞれの評価区間Ｗｍと、それぞれの評価区間Ｗｍ内に存在すると判断される１又は複数の亀甲状ひび割れＫｎとを関連付ける工程、
（ｅ）関連付けられた亀甲状ひび割れＫｎが存在する評価区間Ｗｍについて、要修繕箇所存在信号Ｘｍを生成し、対応する評価区間Ｗｍと関連付けて記憶装置に記憶させる工程、
（ｆ）前記記憶装置に記憶されている評価区間Ｗｍとそれと関連付けられた要修繕箇所存在信号Ｘｍとに基づいて、管理対象道路における対応する評価区間Ｗｍに相当する位置に要修繕箇所存在信号Ｘｍが表示された地図データを生成し、出力する工程。
【００１１】
上記のとおり、本発明の支援装置及び支援方法は、舗装路面の撮像画像中に認識されたパターンが亀甲状ひび割れであるか否かを識別するとともに、管理対象道路を任意の長さの１又は複数の評価区間Ｗｍに分け、その内部に亀甲状ひび割れが存在する評価区間Ｗｍの対応する地図上の位置に要修繕箇所存在信号Ｘｍを表示することによって、管理対象道路のどこに緊急を要する要修繕箇所が存在するかを一目瞭然に表示し、「見える化」することをその大きな特徴の一つとしている。
【００１２】
因みに、従来、舗装のひび割れを評価するパラメータとしては、例えば、特開２００８−４６０６５号公報、特開２００８−１１６２９４号公報、特開２０１６−２１８７６２号公報などに示されるとおり、専ら、ひび割れ率が用いられていた。ひび割れ率とは、「舗装調査・試験法便覧Ｓ０２９（平成１９年６月、社団法人日本道路協会）」に規定されているとおり、舗装路面の５０ｃｍ四方ごとに含まれるひび割れの本数をカウントし、０本のときには占有面積＝０ｍ２、１本のときには占有面積＝０．１５ｍ２、２本以上のときには占有面積＝０．２５ｍ２とし、調査対象区間の面積を分母、ひび割れ本数に応じて算出された上記占有面積の積算値を分子として求められる値（％）である。
【００１３】
しかしながら、本発明者らが得た知見によれば、従来から用いられているひび割れ率は、舗装の修繕の緊急性を示すパラメータとして用いる上では、十分な信頼性を備えているとは言い難い。例えば、図８（Ａ）に示すひび割れと、図８（Ｂ）に示すひび割れとは、図８（Ａ）及び（Ｂ）の下に計算式で示すとおり、ひび割れ率としては共に約２０％となり同じである。しかしながら、図８（Ａ）のひび割れは、いわゆる線状ひび割れに該当し、疲労ひび割れ、わだち割れ、施工継ぎ目ひび割れ等の舗装表層の劣化によるひび割れであるのに対し、図８（Ｂ）のひび割れは、いわゆる亀甲状ひび割れに該当し、基層や路盤にまで及ぶ構造破損に起因するひび割れで、早急に修繕を必要とされるひび割れである。このように、ひび割れ率が同じであっても、図８（Ａ）の線状ひび割れと．図８（Ｂ）の亀甲状ひび割れとは、その発生原因だけでなく、修繕の緊急性や、修繕方法においても全く異なるひび割れである。
【００１４】
このように、ひび割れ率だけでは、修繕の緊急性を正確に評価することができないところ、本発明の支援装置及び支援方法においては、ひび割れ率ではなく、撮像画像中に認識されたパターンが亀甲状ひび割れであるか否かという点を修繕の緊急性判断の主たる要素の一つとしており、この点で、従来の支援装置及び支援方法にはない新たな視点を提案するものである。
【００１５】
また、本発明の支援装置は、その好適な一例において、さらに、下記（Ｇ）〜（Ｊ）の手段を備えている；
（Ｇ）舗装路面の撮像画像中に認識されたパターンが補修跡であるか否かを識別し、補修跡であると識別されたとき、補修跡識別信号ｒｎを出力する手段、
（Ｈ）前記撮像画像の地図上での位置座標に基づいて、補修跡識別信号ｒｎが出力されたパターンの地図上での位置を求め、補修跡Ｒｎの位置ＲＰｎとして記憶装置に記憶する手段、
（Ｉ）管理対象道路の地図上での存在位置についての情報、前記地点Ｂの位置についての情報、及び前記長さＬに基づいて求められる評価区間Ｗｍの地図上での位置と、前記記憶装置に記憶されている補修跡Ｒｎの位置ＲＰｎに基づいて、それぞれの評価区間Ｗｍと、それぞれの評価区間Ｗｍ内に存在すると判断される１又は複数の補修跡Ｒｎとを関連付ける手段、
（Ｊ）関連付けられた補修跡Ｒｎが存在する評価区間Ｗｍについて、要修繕箇所存在信号Ｘｍが未だ生成されていないときには、要修繕箇所存在信号Ｘｍを生成し、対応する評価区間Ｗｍと関連付けて記憶装置に記憶させる手段。
【００１６】
また、本発明の支援方法は、その好適な一例において、さらに、下記（ｇ）〜（ｊ）の工程を含んでいる；
（ｇ）舗装路面の撮像画像中に認識されたパターンが補修跡であるか否かを識別し、補修跡であると識別されたとき、補修跡識別信号ｒｎを出力する工程、
（ｈ）前記撮像画像の地図上での位置座標に基づいて、補修跡識別信号ｒｎが出力されたパターンの地図上での位置を求め、補修跡Ｒｎの位置ＲＰｎとして記憶装置に記憶する工程、
（ｉ）管理対象道路の地図上での存在位置についての情報、前記地点Ｂの位置についての情報、及び前記長さＬに基づいて求められる評価区間Ｗｍの地図上での位置と、前記記憶装置に記憶されている補修跡Ｒｎの位置ＲＰｎに基づいて、それぞれの評価区間Ｗｍと、それぞれの評価区間Ｗｍ内に存在すると判断される１又は複数の補修跡Ｒｎとを関連付ける工程、
（ｊ）関連付けられた補修跡Ｒｎが存在する評価区間Ｗｍについて、要修繕箇所存在信号Ｘｍが未だ生成されていないときには、要修繕箇所存在信号Ｘｍを生成し、対応する評価区間Ｗｍと関連付けて記憶装置に記憶させる工程。
【００１７】
すなわち、本発明の支援装置及び支援方法は、その好適な一態様において、舗装路面の撮像画像中に認識されたパターンが亀甲状ひび割れであるか否かを識別するだけでなく、舗装路面の撮像画像中に認識されたパターンが補修跡であるか否かを識別し、補修跡であると識別されたとき、補修跡が存在する評価区間Ｗｍの対応する地図上の位置に要修繕箇所存在信号Ｘｍを表示することによって、亀甲状ひび割れだけでなく、補修跡の存在箇所を地図上に一目瞭然に示して「見える化」するものである。
【００１８】
ここでいう補修跡とは、ポットホールを応急処置で穴埋め補修しただけの補修跡を意味し、再び欠損してポットホールが生じたり、周囲にポットホールが広がる恐れがあるので、亀甲状ひび割れと同様に、その修繕の緊急性は大である。
【００１９】
さらに、本発明の支援装置及び支援方法は、その好適な他の一態様において、下記（Ｋ）の手段を備えている；
（Ｋ）評価区間Ｗｍを選択する選択入力があったとき、選択された評価区間Ｗｍと関連付けられている亀甲状ひび割れＫｎ及び／又は補修跡Ｒｎについての情報を出力する手段であって、前記情報が当該評価区間Ｗｍと関連付けられている亀甲状ひび割れＫｎの数又は位置ＫＰｎ、及び／又は、当該評価区間Ｗｍと関連付けられている補修跡Ｒｎの数又は位置ＲＰｎを含む手段。
【００２０】
同様に、本発明の支援方法は、その好適な他の一態様において、下記（ｋ）の工程を含んでいる；
（ｋ）評価区間Ｗｍを選択する選択入力があったとき、選択された評価区間Ｗｍと関連付けられている亀甲状ひび割れＫｎ及び／又は補修跡Ｒｎについての情報を出力する工程であって、前記情報が当該評価区間Ｗｍと関連付けられている亀甲状ひび割れＫｎの数又は位置ＫＰｎ、及び／又は、当該評価区間Ｗｍと関連付けられている補修跡Ｒｎの数又は位置ＲＰｎを含む工程。
【００２１】
このように本発明の支援装置及び支援方法が、上記（Ｋ）の手段又は上記（ｋ）の工程を有しているときには、例えば道路管理者が、表示された地図上で、関心のある評価区間Ｗｍをタッチ又はクリックするなどして選択すると、その選択入力に応じて、選択された評価区間Ｗｍと関連付けられている亀甲状ひび割れＫｎの少なくとも数又は位置ＫＰｎ、及び／又は、選択された評価区間Ｗｍと関連付けられている補修跡Ｒｎの少なくとも数又は位置ＲＰｎが出力されて、例えば道路管理者又は関係者が見ている表示装置上に表示されたり、プリントアウトされたりすることになる。これにより、例えば道路管理者又は関係者は、当該選択した評価区間に存在する亀甲状ひび割れ及び／又は補修跡の数や位置を知ることができ、舗装の維持修繕計画を策定する上での有力な情報として活用することが可能となる。
【００２２】
さらに、本発明の支援装置は、その好適なさらに他の一態様において、下記（Ｌ）〜（Ｎ）の手段を備えている；
（Ｌ）前記撮像画像上での長さと舗装路面上での長さとの対応関係についての情報に基づいて、亀甲状ひび割れ識別信号ｋｎ又は補修跡識別信号ｒｎが出力されたパターンの舗装路面上での面積を求め、亀甲状ひび割れＫｎの面積ＫＡｎ又は補修跡Ｒｎの面積ＲＡｎとして記憶装置に記憶する手段、
（Ｍ）それぞれの評価区間Ｗｍについて、関連付けられている全亀甲状ひび割れＫｎ又は全補修跡Ｒｎの面積を、それぞれ、評価区間ごとに積算し、それぞれの評価区間Ｗｍにおける亀甲状ひび割れＫｎの合計面積ＫＴＡｍ又は補修跡Ｒｎの合計面積ＲＴＡｍとして記憶装置に記憶する手段、
（Ｎ）前記（Ｋ）の手段であって、出力される亀甲状ひび割れＫｎ又は補修跡Ｒｎについての前記情報が、さらに、当該評価区間Ｗｍと関連付けられている個々の亀甲状ひび割れＫｎの面積ＫＡｎ及び／又は合計面積ＫＴＡｍ、又は当該評価区間Ｗｍと関連付けられている個々の補修跡Ｒｎの面積ＲＡｎ及び／又は合計面積ＲＴＡｍを含む手段。
【００２３】
また、本発明の支援方法は、その好適なさらに他の一態様において、下記（ｌ）〜（ｎ）の工程を含んでいる；
（ｌ）前記撮像画像上での長さと舗装路面上での長さとの対応関係についての情報に基づいて、亀甲状ひび割れ識別信号ｋｎ又は補修跡識別信号ｒｎが出力されたパターンの舗装路面上での面積を求め、亀甲状ひび割れＫｎの面積ＫＡｎ又は補修跡Ｒｎの面積ＲＡｎとして記憶装置に記憶する工程、
（ｍ）それぞれの評価区間Ｗｍについて、関連付けられている全亀甲状ひび割れＫｎ又は全補修跡Ｒｎの面積を、それぞれ、評価区間ごとに積算し、それぞれの評価区間Ｗｍにおける亀甲状ひび割れＫｎの合計面積ＫＴＡｍ又は補修跡Ｒｎの合計面積ＲＴＡｍとして記憶装置に記憶する工程、
（ｎ）前記（ｋ）の工程であって、出力される亀甲状ひび割れＫｎ又は補修跡Ｒｎについての前記情報が、さらに、当該評価区間Ｗｍと関連付けられている個々の亀甲状ひび割れＫｎの面積ＫＡｎ及び／又は合計面積ＫＴＡｍ、又は当該評価区間Ｗｍと関連付けられている個々の補修跡Ｒｎの面積ＲＡｎ及び／又は合計面積ＲＴＡｍを含む工程。
【００２４】
このように本発明の支援装置及び支援方法が、上記（Ｌ）〜（Ｎ）の手段又は上記（ｌ）〜（ｎ）の工程を有しているときには、識別された亀甲状ひび割れ及び／又は補修跡の面積を、個々に、或いは評価区間毎に積算して、例えば道路管理者によって選択された評価区間ごとに表示装置に表示したり、プリントアウトしたりすることができる。緊急に修繕を必要とする亀甲状ひび割れや補修跡の面積についての情報は、舗装の維持修繕計画を策定する上で極めて重要であり、道路管理者がそれを知ることができるのは極めて有用である。
【００２５】
さらに本発明の支援装置は、その好適なさらに他の一態様において、下記（Ｏ）の手段を備えている；
（Ｏ）個々の評価区間Ｗｍにおける亀甲状ひび割れＫｎの合計面積ＫＴＡｍ、補修跡Ｒｎの合計面積ＲＴＡｍ、又はＫＴＡｍとＲＴＡｍの加算値を、その大きさに応じて、２つ以上のランクに分け、該当するランクに応じて、個々の評価区間Ｗｍについて生成される要修繕箇所存在信号Ｘｍを異ならせる手段。
【００２６】
また、本発明の支援方法は、好適な更に他の一態様において、下記（ｏ）の工程を含んでいる；
（ｏ）個々の評価区間Ｗｍにおける亀甲状ひび割れＫｎの合計面積ＫＴＡｍ、補修跡Ｒｎの合計面積ＲＴＡｍ、又はＫＴＡｍとＲＴＡｍの加算値を、その大きさに応じて、２つ以上のランクに分け、該当するランクに応じて、個々の評価区間Ｗｍについて生成される要修繕箇所存在信号Ｘｍを異ならせる工程。
【００２７】
このように本発明の支援装置及び支援方法が、上記（Ｏ）の手段又は上記（ｏ）の工程を有しているときには、各評価区間内に存在する亀甲状ひび割れの合計面積、又は補修跡の合計面積、或いは亀甲状ひび割れと補修跡両者の合計面積に応じて、地図上の対応する位置に表示される要修繕箇所存在信号Ｘｍの大きさ、色、形等を変えることができるので、それぞれの評価区間内に存在する要修繕箇所の面積の多寡を視覚的に把握することができるという利点が得られる。
【００２８】
さらに、本発明の支援装置は、その好適なさらに他の一態様において、下記（Ｐ）の手段を備えている；
（Ｐ）評価区間Ｗｍを選択する選択入力があったとき、選択された評価区間Ｗｍに対応する舗装路面の撮像画像、又は認識されたパターンを重ね合わせた前記舗装路面の撮像画像を出力する手段。
【００２９】
また、本発明の支援方法は、その好適なさらに他の一態様において、下記（ｐ）の工程を含んでいる；
（ｐ）評価区間Ｗｍを選択する選択入力があったとき、選択された評価区間Ｗｍに対応する舗装路面の撮像画像、又は認識されたパターンを重ね合わせた前記舗装路面の撮像画像を出力する工程。
【００３０】
このように本発明の支援装置及び支援方法が、上記（Ｐ）の手段又は上記（ｐ）の工程を有しているときには、例えば道路管理者が、表示された地図上で、関心のある評価区間Ｗｍをタッチ又はクリックするなどして選択すると、その選択入力に応じて、選択された評価区間Ｗｍに対応する舗装路面の撮像画像、又は当該撮像画像に識別されたパターンを重ね併せた画像を出力して、適宜表示装置に表示したり、プリントアウトして、対象とする評価区間内に存在する亀甲状ひび割れや補修跡の様子を目視によって確認することができるので、極めて便利である。
【００３１】
さらに、本発明の支援装置は、その好適なさらに他の一態様において、（Ｑ）前記長さＬを外部からの入力に基づいて変更する手段を備えており、本発明の支援方法は、その好適なさらに他の一態様において、（ｑ）前記長さＬを外部からの入力に基づいて変更する工程を含んでいる。
【００３２】
このように本発明の支援装置及び支援方法が、上記（Ｑ）の手段又は上記（ｑ）の工程を有しているときには、評価区間の長さＬを適宜変更して、管理対象道路における要修繕箇所の存在の有無、程度を、より細かなスケールでみたり、より大きなスケールでみたりすることができるので、本発明の支援装置及び支援方法を、維持修繕計画の策定上、極めて有用なツールとして利用することができる。
【００３３】
さらに本発明は、１又は複数のコンピュータに本発明の支援方法を実行させるコンピュータプログラムを提供することによって、上記課題を解決するものである。当該コンピュータプログラムは、適宜のメモリ等の記憶媒体に記憶された状態で提供されても良いし、ネットからダウンロードする形で提供されても良いし、ネット上に存在する適宜のサーバ上に存在するものであっても良い。
【００３４】
なお、本明細書でいう舗装の維持とは、計画的に反復して行う手入れ又は緊急に行う軽度な修理をいい、路面の性能を回復させることを目的に実施する手入れ又は修理をいうものとし、修繕とは、維持では不経済若しくは十分な回復効果が期待できない場合に、建設時の性能程度に回復することを目的に実施される手入れ又は修理をいうものとする。また、本明細書でいう舗装路面の撮像画像中に認識されるパターンとは、舗装路面上に認識されるあらゆる図形パターンを包含し、線で構成された図形パターン、面で構成された図形パターン、複数の線が交差して面状に広がった図形パターンなどを含むものである。
【発明の効果】
【００３５】
本発明の支援装置又は支援方法によれば、舗装における緊急に修繕が必要な要修繕箇所を、亀甲状ひび割れ、又は亀甲状ひび割れと補修跡として、舗装面の撮像画像から自動的に抽出し、それらの有無、個数、面積等の情報を設定された評価区間ごとに地図上に表示し、或いは地図上の位置と関連付けて表示又は出力することができるという利点が得られる。これにより、例えば道路管理者は、管理対象とする道路のどの位置に緊急に修繕を必要とする要修繕箇所が存在するのかを地図上で視覚的に把握することができるとともに、その詳細についても、適宜表示又は出力させて知ることができるので、舗装の維持修繕計画の策定が非常に容易になるという利点が得られる。
【００３６】
本発明の支援装置及び支援方法における、要修繕箇所か否かの判断は、撮像画像中に認識されたパターンが亀甲状ひび割れと識別されるか、或いは補修跡であると識別されるかというパターン認識技術に基づいてコンピュータによって行われるので、極めて客観的であり、維持修繕計画の策定を一定の基準に基づいて合理的に行うことができるという利点が得られる。
【００３７】
また、本発明のコンピュータプログラムによれば、１又は複数のコンピュータを本発明の支援方法を実行させるハードウエアとして動作させることができるという利点が得られる。
【図面の簡単な説明】
【００３８】
【図１】本発明の舗装の維持修繕計画策定支援装置の一例を示す図である。
【図２】舗装路面の撮像画像の一例を示す図である。
【図３】撮像画像の一例を示す図である。
【図４】出力される地図データの一例を示す図である。
【図５】出力される地図データの他の一例を示す図である。
【図６】出力される詳細情報の一例を示す図である。
【図７】評価区間の撮像画像の出力例を示す図である。
【図８】ひび割れ率が同じである二種のひび割れを対比して示す図である。
【発明を実施するための形態】
【００３９】
以下、図面を用いて本発明の支援装置並びに支援方法を説明するが、本発明が図示のものに限られないことはいうまでもない。
【００４０】
図１は、本発明の舗装の維持修繕計画策定支援装置の一例を示す図である。図１において、１は本発明の支援装置であり、支援装置１は、一台又は複数台のコンピュータから構成されている。支援装置１が複数台のコンピュータで構成されている場合には、それら複数台のコンピュータは、一箇所に存在していても良いし、適宜の通信ネットワークで結ばれて異なる箇所に分散して存在していても良い。
【００４１】
２は支援装置１の入出力部であり、支援装置１は、入出力部２を介して、インターネットなどの通信ネットワーク３、外部メモリ４、キーボード５、タッチパネル機能を備えた表示装置６、プリンタ７、道路地図データベース８などと随時接続される。
【００４２】
９Ａは外部から入力される撮像画像の一時記憶部、９Ｂはパターン認識部、９Ｃは辞書パターン記憶部、９Ｄは位置情報抽出部、９Ｅは面積算出部であり、９Ａ〜９Ｅによってパターン認識部が構成されている。
【００４３】
１０Ａ、１０Ｂ、１０Ｃは、それぞれ、外部から入力される長さＬ、基準となる地点Ｂの位置情報、及び道路地図データの一時記憶部であり、１０Ｄは評価区間設定部である。１０Ａ〜１０Ｄによって評価区間設定部が構成されている。
【００４４】
１１は、評価区間Ｗｍと、それぞれの評価区間Ｗｍ内に存在すると判断される１又は複数の亀甲状ひび割れＫｎ及び／又は補修跡Ｒｎとを関連付けるとともに、関連付けられる亀甲状ひび割れＫｎ及び／又は補修跡Ｒｎが存在する評価区間Ｗｍについて要修繕箇所存在信号Ｘｍを生成する要修繕箇所判定部である。
【００４５】
１２Ａは地図データ生成部、１２Ｂは要修繕面積判定部であり、１２Ａ及び１２Ｂによって地図データ生成部を構成している。
【００４６】
１３Ａは評価区間Ｗｍの選択信号入力受付部、１３Ｂは必要情報読出部であり、１３Ａ及び１３Ｂによって、評価区間情報出力部を構成している。
【００４７】
１４は記憶装置であり、記憶装置１４には、亀甲状ひび割れ情報及び／又は補修跡情報記憶部１４Ａ、撮像画像データ記憶部１４Ｂ、評価区間情報記憶部１４Ｃ、要修繕箇所情報記憶部１４Ｄが包含されている。
【００４８】
以下、支援装置１、及び支援装置１によって実行される支援方法の詳細について順に説明する。
【００４９】
１．パターン認識部
インターネット等の通信ネットワーク３又は外部メモリ４から、入出力部２を介して、対象となる舗装路面の撮像画像が支援装置１に入力されると、入力された撮像画像は一時記憶部９Ａに記憶される。
【００５０】
図２は、入出力部２を介して支援装置１に入力される撮像画像の一例を示す図である。図２に示すとおり、撮像画像Ｚ（ｎ−１）、Ｚｎ、Ｚ（ｎ＋１）（但し、ｎは整数）は、舗装路面を道路の幅方向に沿ってＺＷ、延長方向に沿ってＺＬずつの長さに区切った区間の撮像画像であり、通常、道路延長方向に沿って連続した区間の撮像画像である。なお、図２では３枚の撮像画像Ｚ（ｎ−１）、Ｚｎ、Ｚ（ｎ＋１）しか示していないけれども、実際には、維持修繕計画を策定しようとしている対象道路の舗装路面をその延長方向に沿った所定長さにわたってカバーすべく、多数枚の撮像画像Ｚｎが入力されることはいうまでもない。それぞれの撮像画像Ｚ（ｎ−１）、Ｚｎ、Ｚ（ｎ＋１）には、例えば、それぞれの上辺の中央点Ｚｂ（ｎ−１）、Ｚｂｎ、Ｚｂ（ｎ＋１）を基準点として、その基準点の地図上での位置座標、すなわち、緯度・経度情報Ｚｂｐ（ｎ−１）、Ｚｂｐｎ、Ｚｂｐ（ｎ＋１）が付加されており、緯度・経度情報Ｚｂｐ（ｎ−１）、Ｚｂｐｎ、Ｚｂｐ（ｎ＋１）は、撮像画像Ｚ（ｎ−１）、Ｚｎ、Ｚ（ｎ＋１）等とともに、入出力部２に入力され、一時記憶部９Ａに記憶される。
【００５１】
撮像画像Ｚｎは、例えば、図３に示すように、撮影したままの撮像画像Ｚｎｏｒと、撮像画像Ｚｎ中に認識された線状に伸びるパターンや面状に広がるパターンなどをトレースしたトレース画像Ｚｎｔｒとを、別々のレイヤーとして重ね合わせた、パターントレース画像付の撮像画像Ｚｎとして支援装置１に入力されるのが望ましい。
【００５２】
ただし、支援装置１に入力される撮像画像Ｚｎは、必ずしも当初からパターントレース画像付の撮像画像Ｚｎである必要はなく、撮影したままの撮像画像Ｚｎｏｒであっても良く、その場合には、支援装置１が、各撮像画像Ｚｎｏｒ中の線状、面状、その他のパターンの認識と、トレース画像の生成、及びパターントレース画像付の撮像画像Ｚｎの作成を行えば良い。
【００５３】
一時記憶部９Ａに一時記憶されたパターントレース画像付の撮像画像Ｚｎは、順次読み出されてパターン認識部９Ｂに送られる。パターン認識部９Ｂでは、送られてきた撮像画像Ｚｎ中に認識されたパターンが、それぞれ、亀甲状ひび割れであるか否か、又は補修跡であるか否かが識別される。この識別は、斯界で汎用されているパターン認識技術を用いて行えば良い。例えば、パターン認識部９Ｂは、送られてきたパターントレース画像付の撮像画像Ｚｎ中に１又は複数個の検索窓を適宜設定し、各検索窓中に含まれるパターンの特徴抽出を行い、辞書パターン記憶部９Ｃに記憶されている辞書データと照合して、当該検索窓中のパターンが亀甲状ひび割れであるか否か、又は補修跡であるか否かを識別すれば良い。なお、特徴抽出の際に用いる特徴量の設計は人間が行っても良いし、深層学習によってコンピュータが自動的に行うようにしても良い。
【００５４】
パターン認識部９Ｂによって、パターントレース画像付の撮像画像Ｚｎ中に設定された検索窓内に存在するパターンが亀甲状ひび割れであると識別されると、パターン認識部９Ｂは、識別された順に例えば整数番号ｎを付して、亀甲状ひび割れ識別信号ｋｎ（但し、ｎは整数）を生成し、その亀甲状ひび割れ識別信号ｋｎが生成された検索窓の撮像画像Ｚｎ中の位置情報とともに、位置情報抽出部９Ｄに出力する。すなわち、支援装置１は、支援装置１が所定のプログラムの下に動作することによって実現される手段として、舗装路面の撮像画像Ｚｎ中に認識されたパターンが亀甲状ひび割れであるか否かを識別し、亀甲状ひび割れであると識別されたとき、亀甲状ひび割れ識別信号ｋｎを出力する手段（手段（Ａ））を備えており、本例の支援装置１においては、パターン認識部９Ｂによって実現される動作がこれに相当する。また、支援方法に即して言えば、パターン認識部９Ｂによって実行される上記の動作が、舗装路面の撮像画像中に認識されたパターンが亀甲状ひび割れであるか否かを識別し、亀甲状ひび割れであると識別されたとき、亀甲状ひび割れ識別信号ｋｎを出力する工程（工程（ａ））に相当する。
【００５５】
同様に、パターン認識部９Ｂによって、パターントレース画像付の撮像画像Ｚｎ中に設定された検索窓内に存在するパターンが補修跡であると識別されると、パターン認識部９Ｂは、識別された順に例えば整数番号ｎを付して、補修跡識別信号ｒｎ（但し、ｎは整数）を生成し、その補修跡識別信号ｒｎが生成された検索窓の撮像画像Ｚｎ中の位置情報とともに、位置情報抽出部９Ｄに出力する。すなわち、支援装置１は、支援装置１が所定のプログラムの下に動作することによって実現される手段として、舗装路面の撮像画像Ｚｎ中に認識されたパターンが補修跡であるか否かを識別し、補修跡であると識別されたとき、補修跡識別信号ｒｎを出力する手段（手段（Ｇ））を備えており、パターン認識部９Ｂによって実現される動作がこれに相当する。また、支援方法に即して言えば、パターン認識部９Ｂによって実行される上記の動作が、舗装路面の撮像画像中に認識されたパターンが補修跡であるか否かを識別し、補修跡であると識別されたとき、補修跡識別信号ｒｎを出力する工程（工程（ｇ））に相当する。
【００５６】
上記のような動作を繰り返し、撮像画像Ｚｎ中にもはや亀甲状ひび割れ又は補修跡と識別されそうなパターンが存在しないと判断されると、パターン認識部９Ｂは、パターン認識を行った撮像画像Ｚｎについてパターン認識終了信号ＥＺｎを生成し、撮像画像Ｚｎ、その基準点Ｚｂｎの地図上の位置座標Ｚｂｐｎ、及び次の連続する撮像画像Ｚｎ＋１の基準点Ｚｂｎ＋１の地図上の位置座標Ｚｂｐｎ＋１とともに位置情報抽出部９Ｄに出力する。なお、次の連続する撮像画像Ｚｎ＋１が存在しないときには、一つ前の撮像画像Ｚｎ−１の基準点Ｚｂｎ−１の地図上の位置座標Ｚｂｐｎ−１と当該撮像画像Ｚｎの基準点Ｚｂｎの地図上の位置座標Ｚｂｐｎとを結ぶ線上で、位置座標Ｚｂｐｎから長さＺＬだけ離れた地点の位置座標をＺｂｐｎ＋１として、位置情報抽出部９Ｄに出力すれば良い。また、パターン認識部９Ｂから位置情報抽出部９Ｄに送られる信号は、パターン認識終了信号ＥＺｎだけでも良く、その場合には、位置情報抽出部９Ｄが、撮像画像Ｚｎ、その基準点Ｚｂｎの位置座標Ｚｂｐｎ、及び次の連続する撮像画像Ｚｎ＋１の基準点Ｚｂｎ＋１の地図上の位置座標Ｚｂｐｎ＋１を一時記憶部９Ａから読み出すことになる。
【００５７】
位置情報抽出部９Ｄは、パターン認識部９Ｂから撮像画像Ｚｎについてのパターン認識終了信号ＥＺｎを受け取ると、パターン認識部９Ｂ又は一時記憶部９Ａから入手した撮像画像Ｚｎ並びに基準点Ｚｂｎの地図上の位置座標Ｚｂｐｎ及び基準点Ｚｂｎ＋１の地図上の位置座標Ｚｂｐｎ＋１、亀甲状ひび割れ識別信号ｋｎが出力された検索窓の撮像画像Ｚｎ内での相対的な位置、及び撮像画像Ｚｎの幅方向の長さＺＷ又は延長方向の長さＺＬと撮像画像Ｚｎを構成する画素数とから求められる１画素あたりの実空間の大きさに基づいて、亀甲状ひび割れ識別信号ｋｎが出力された検索窓の地図上の位置を求め、亀甲状ひび割れＫｎの位置Ｋｐｎ（但し、ｎは整数）として記憶装置１４に出力し、亀甲状ひび割れ情報及び／又は補修跡情報記憶部１４Ａに記憶する。なお、このとき求められる検索窓の地図上の位置としては、通常、検索窓が占める領域の地図上の位置、例えば検索窓が矩形の場合にはその四隅の頂点の地図上の位置が選ばれるが、検索窓の中心点の位置で検索窓の位置を代表させても良い。
【００５８】
これら位置情報抽出部９Ｄと記憶装置１４とによって実現又は実行される上記動作が、撮像画像Ｚｎの地図上での位置座標に基づいて、亀甲状ひび割れ識別信号ｋｎが出力されたパターンの地図上での位置を求め、亀甲状ひび割れＫｎの位置ＫＰｎとして記憶装置に記憶する手段（手段（Ｂ））又は工程（工程（ｂ））に相当する。
【００５９】
同様に、位置情報抽出部９Ｄは、パターン認識部９Ｂ又は一時記憶部９Ａから上記情報の出力を受けると、撮像画像Ｚｎ、基準点Ｚｂｎの地図上の位置座標Ｚｂｐｎ、基準点Ｚｂｎ＋１の地図上の位置座標Ｚｂｐｎ＋１、補修跡識別信号ｒｎが出力された検索窓の撮像画像Ｚｎ内での相対的な位置、及び撮像画像Ｚｎ中の１画素あたりの実空間の大きさに基づいて、補修跡識別信号ｒｎが出力された検索窓の地図上の位置を求め、補修跡Ｒｎの位置Ｒｐｎ（但し、ｎは整数）として記憶装置１４に出力し、亀甲状ひび割れ情報及び／又は補修跡情報記憶部１４Ａに記憶する。この場合においても、求められる検索窓の地図上の位置としては、通常、検索窓が占める領域の地図上の位置が選ばれるが、検索窓の中心点の位置で検索窓の位置を代表させても良い。
【００６０】
これら位置情報抽出部９Ｄと記憶装置１４とによって実現又は実行される上記動作が、本発明の支援装置並びに支援方法に即していえば、撮像画像Ｚｎの地図上での位置座標に基づいて、補修跡識別信号ｒｎが出力されたパターンの地図上での位置を求め、補修跡Ｒｎの位置ＲＰｎとして記憶装置に記憶する手段（手段（Ｈ））又は工程(工程（ｈ））に相当する。
【００６１】
位置情報抽出部９Ｄは、以上のような動作を撮像画像Ｚｎについて出力された亀甲状ひび割れ識別信号ｋｎ及び補修跡識別信号ｒｎの全てについて行い、完了すると、完了信号ＥＺＰｎを生成し、対象とした撮像画像Ｚｎをその基点Ｚｂｎの位置座標Ｚｂｐｎとともに記憶装置１４に出力するか、当該撮像画像Ｚｎ及びその基点Ｚｂｎの位置座標Ｚｂｐｎを一時記憶部９Ａから記憶装置１４に移動させ、記憶装置１４の撮像画像データ記憶部１４Ｂに記憶させる。
【００６２】
本発明の支援装置１は、その好適な一例において、位置情報抽出部９Ｄに加えて、面積算出部９Ｅを備えている。すなわち、図１に示すとおり、支援装置１は、パターン認識部９Ｂと記憶装置１４との間に、位置情報抽出部９Ｄと並列に設けられた面積算出部９Ｅを有している。面積算出部９Ｅは、パターン認識部９Ｂから、亀甲状ひび割れ識別信号ｋｎ又は補修跡識別信号ｒｎと、その亀甲状ひび割れ識別信号ｋｎ又は補修跡識別信号ｒｎが生成された検索窓の撮像画像Ｚｎ中の位置情報を受け取ると、検索窓の撮像画像Ｚｎ中の位置情報に基づいて、亀甲状ひび割れ識別信号ｋｎに対応する亀甲状ひび割れＫｎ、又は補修跡識別信号ｒｎに対応する補修跡Ｒｎを撮像画像Ｚｎ中で特定し、その面積を算出する。
【００６３】
亀甲状ひび割れＫｎの面積ＫＡｎ（但し、ｎは整数）の算出は、例えば、以下のようにして行うことができる。すなわち、亀甲状ひび割れが存在すると、その原因となった基層又は路盤の損傷は、一般に、ひび割れから１５ｃｍ程度の範囲まで影響を及ぼしているといわれているので、亀甲状ひび割れＫｎの最外部に位置するひび割れから１５ｃｍの範囲まで、また、亀甲状ひび割れＫｎの最外部に位置するひび割れの交点から１５ｃｍの範囲までを亀甲状ひび割れの領域として、撮像画像Ｚｎの１画素の実空間での大きさに基づいて、亀甲状ひび割れＫｎの面積ＫＡｎを算出すれば良い。なお、亀甲状ひび割れの最外部に位置するひび割れとは、その両端が他のひび割れとの交点まで伸びているひび割れをいうものとする。
【００６４】
補修跡Ｒｎの面積ＲＡｎ（但し、ｎは整数）の算出は、補修跡として識別されたパターンが占める領域の面積を、撮像画像Ｚｎの１画素の実空間での大きさに基づいて、算出すれば良い。
【００６５】
算出された亀甲状ひび割れＫｎの面積ＫＡｎ、及び補修跡Ｒｎの面積ＲＡｎは、記憶装置１４に送られ、亀甲状ひび割れＫｎの位置ＫＰｎ、及び補修跡Ｒｎの位置ＲＰｎとともに、亀甲状ひび割れ情報及び／又は補修跡情報記憶部１４Ａに記憶される。このような動作が、対象とした撮像画像Ｚｎについて出力された亀甲状ひび割れ識別信号ｋｎ及び補修跡識別信号ｒｎの全てについて行なわれる。
【００６６】
上記のとおり、支援装置１は、面積算出部９Ｅと記憶装置１４とによって実現される手段として、撮像画像Ｚｎ上での長さと舗装路面上での長さとの対応関係についての情報に基づいて、亀甲状ひび割れ識別信号ｋｎ又は補修跡識別信号ｒｎが出力されたパターンの舗装路面上での面積を求め、亀甲状ひび割れＫｎの面積ＫＡｎ又は補修跡Ｒｎの面積ＲＡｎとして記憶装置に記憶する手段（手段（Ｌ））を備えているということになる。また、これを支援方法に即していえば、撮像画像Ｚｎ上での長さと舗装路面上での長さとの対応関係についての情報に基づいて、亀甲状ひび割れ識別信号ｋｎ又は補修跡識別信号ｒｎが出力されたパターンの舗装路面上での面積を求め、亀甲状ひび割れＫｎの面積ＫＡｎ又は補修跡Ｒｎの面積ＲＡｎとして記憶装置に記憶する工程(工程（ｌ））に相当する。
【００６７】
以上のような動作を入力された全撮像画像Ｚｎについて行うことにより、記憶装置１４の亀甲状ひび割れ情報及び／又は補修跡情報記憶部１４Ａには、対象とする舗装路面に存在すると判断される全亀甲状ひび割れＫｎ及び全補修跡Ｒｎについて、それらのそれぞれと関連付けられた位置ＫＰｎ及び面積ＫＡｎ又は位置ＲＰｎ及び面積ＲＡｎについての情報が下記のように記憶されることになる。
＜亀甲状ひび割れ＞
Ｋ１（Ｋｐ１、ＫＡ１）；Ｋ２（Ｋｐ２、ＫＡ２）；・・・；Ｋｎ（Ｋｐｎ、ＫＡｎ）；・・・
＜補修跡＞
Ｒ１（Ｒｐ１、ＲＡ１）；Ｒ２（Ｒｐ２、ＲＡ２）；・・・；Ｒｎ（Ｒｐｎ、ＲＡｎ）；・・・
【００６８】
また、記憶部１４の撮像画像データ記憶部１４Ｂには、撮像画像Ｚ１、Ｚ２、・・・Ｚｎ・・・の画像データがその基準点の位置座標Ｚｂｐ１、Ｚｂｐ２、・・・Ｚｂｐｎ・・・とともに記憶されることになる。
【００６９】
なお、本例の支援装置１は、上記のとおり、亀甲状ひび割れ及び補修跡の双方を対象とし、舗装路面上に認識されたパターンからそれらを識別し、その位置及び面積を求める手段を備えているが、支援装置１としては、亀甲状ひび割れ又は補修跡のいずれか一方だけを対象とし、いずれか一方を識別して、その位置及び面積を求める手段を備えているものであっても良い。ただし、いずれか一方だけを対象とする場合には、亀甲状ひび割れの方を対象とするのが望ましい。
【００７０】
２．評価区間の設定
上記の亀甲状ひび割れや補修跡の識別に加えて、支援装置１は、管理対象道路に１又は複数の評価区間Ｗｍ（但し、ｍは整数）を設定する手段を備えている。すなわち、通信ネットワーク３、キーボード５、又はタッチパネル機能を備えた表示装置６から、評価区間Ｗｍの道路延長方向の長さＬを指定する信号が入力されると、その信号は入出力装置２を介して、一時記憶部１０Ａに一時記憶される。
【００７１】
同様に、通信ネットワーク３、キーボード５、又はタッチパネル機能を備えた表示装置６から、基準となる地点Ｂの位置情報を指定する信号が入力されると、その信号は入出力装置２を介して、地点Ｂの位置情報として、一時記憶部１０Ｂに一時記憶される。起点となる地点Ｂは、先に説明した撮像画像Ｚｎのいずれかの基準点Ｚｂｎと同じであっても異なっていても良い。
【００７２】
一方、道路地図データの一時記憶部１０Ｃには、外部に存在する道路地図のデータベース８から読み出した管理対象道路の地図データが一時記憶される。
【００７３】
評価区間設定部１０Ｄは、一時記憶部１０Ａ、１０Ｂ、１０Ｃから、記憶されている長さＬ、地点Ｂの位置情報、及び管理対象道路の地図データを適宜読み出して、管理対象道路に１又は複数の評価区間Ｗｍを設定する。すなわち、評価区間設定部１０Ｄは、読み出した地図データと地点Ｂの位置情報を照らし合わせて、管理対象道路上に地点Ｂの位置を決め、その地点Ｂの位置を基準として、管理対象道路を、長さＬを単位として、道路延長方向に沿って１又は複数の区間に分割し、順に番号を付して、評価区間Ｗ１、評価区間Ｗ２・・・評価区間Ｗｍ・・・とするとともに、これら評価区間１、評価区間Ｗ２・・・評価区間Ｗｍ・・・を、読み出した地図データと基準とした地点Ｂの位置情報と長さＬとに基づいて求められる各評価区間Ｗｍの地図上での位置情報と関連付けて記憶装置１４に出力し、評価区間情報記憶部１４Ｃに記憶させる。なお、地点Ｂは、いずれかの評価区間Ｗｍの道路延長方向に沿った前方又は後方の端部に位置していても良いし、いずれかの評価区間Ｗｍの中央に位置していても良い。
【００７４】
一時記憶部１０Ａ〜１０Ｃ、及び評価区間設定部１０Ｄによって実現又は実行される上記の動作が、管理対象道路を、選択された任意の地点Ｂを基準位置として、道路延長方向に沿った長さＬの区間に分割し、１又は複数の評価区間Ｗｍを設定する手段（手段（Ｃ））に相当するとともに、支援方法に即していえば、管理対象道路を、選択された任意の地点Ｂを基準位置として、道路延長方向に沿った長さＬの区間に分割し、１又は複数の評価区間Ｗｍを設定する工程(工程（ｃ））に相当する。
【００７５】
なお、評価区間設定部１０Ｄは上記の動作を必ずしも常に行わなければならないというものではない。例えば対象とする道路について、評価区間Ｗｍの地図上の位置が既に評価区間情報記憶部１４Ｃに記憶されており、評価区間Ｗｍの既に記憶されている地図上の位置を使用する場合には、評価区間設定部１０Ｄによる上記動作は不要である。また、対象とする道路について、評価区間Ｗｍの地図上の位置が、道路データベース８から道路地図データとともに読み込まれる場合には、評価区間設定部１０Ｄは、その情報を評価区間情報記憶部１４Ｃに記憶させるだけで良い。
【００７６】
３．要修繕箇所の判定
要修繕箇所判定部１１は、亀甲状ひび割れ情報及び／又は補修跡情報記憶部１４Ａから、亀甲状ひび割れＫｎの位置ＫＰｎ、及び補修跡Ｒｎの位置ＲＰｎを読み出すとともに、評価区間情報記憶部１４Ｃからは、設定されている評価区間Ｗｍの地図上での位置情報を読み出し、両者を照合することによって、各評価区間Ｗｍ内に亀甲状ひび割れＫｎ及び／又は補修跡Ｒｎが存在するかどうかを判断する。いずれかの評価区間Ｗｍ内に亀甲状ひび割れＫｎ及び／又は補修跡Ｒｎが存在すると判断された場合、要修繕箇所判定部１１は、評価区間Ｗｍのそれぞれと、その内部に存在すると判断された１又は複数の亀甲状ひび割れＫｎ及び／又は補修跡Ｒｎとを関連付け、記憶装置１４の要修繕箇所情報記憶部１４Ｄに記憶させる。
【００７７】
なお、評価区間情報記憶部１４Ｃに記憶されている評価区間Ｗｍの地図上での位置情報は、元はといえば、一時記憶部１０Ａ〜１０Ｃから読み出した長さＬ、地点Ｂの位置情報、及び管理対象道路の地図データに基づいて求められたものであるので、要修繕箇所判定部１１による上記動作が、管理対象道路の地図上での存在位置についての情報、地点Ｂの位置についての情報、及び長さＬに基づいて求められた評価区間Ｗｍの地図上での位置と、記憶装置に記憶されている亀甲状ひび割れＫｎの位置ＫＰｎ又は補修跡Ｒｎの位置ＲＰｎに基づいて、それぞれの評価区間Ｗｍと、それぞれの評価区間Ｗｍ内に存在すると判断される１又は複数の亀甲状ひび割れＫｎ及び／又は補修跡Ｒｎとを関連付ける手段（手段（Ｄ）、手段（Ｉ））に相当する。また、これを支援方法に即していえば、管理対象道路の地図上での存在位置についての情報、地点Ｂの位置についての情報、及び長さＬに基づいて求められる評価区間Ｗｍの地図上の位置と、記憶装置に記憶されている亀甲状ひび割れＫｎの位置ＫＰｎ又は補修跡Ｒｎの位置ＲＰｎに基づいて、それぞれの評価区間Ｗｍと、それぞれの評価区間Ｗｍ内に存在すると判断される１又は複数の亀甲状ひび割れＫｎ及び／又は補修跡Ｒｎとを関連付ける工程（工程（ｄ）、工程（ｉ））に相当することになる。
【００７８】
続いて、要修繕箇所判定部１１は、上記のようにして関連付けられた亀甲状ひび割れＫｎ又は補修跡Ｒｎが存在する評価区間Ｗｍについて、要修繕箇所存在信号Ｘｍ（但し、ｍは整数）を生成し、対応する評価区間Ｗｍと関連付けて記憶装置１４の要修繕箇所情報記憶部１４Ｄに記憶させる。
【００７９】
支援装置１におけるこの動作が、関連付けられた亀甲状ひび割れＫｎが存在する評価区間Ｗｍについて、要修繕箇所存在信号Ｘｍを生成し、対応する評価区間Ｗｍと関連付けて記憶装置に記憶させる手段（手段（Ｅ））に相当し、また、これを支援方法に即していえば、関連付けられた亀甲状ひび割れＫｎが存在する評価区間Ｗｍについて、要修繕箇所存在信号Ｘｍを生成し、対応する評価区間Ｗｍと関連付けて記憶装置に記憶させる工程（工程（ｅ））に相当する。
【００８０】
なお、同一評価区間Ｗｍについて、関連付けられた亀甲状ひび割れＫｎと補修跡Ｒｎの双方が存在する場合には、どちらか一方が存在することに基づいて要修繕箇所存在信号Ｘｍを生成すれば良いので、各評価区間Ｗｍと補修跡Ｒｎとの関連付けを、各評価区間Ｗｍと亀甲状ひび割れＫｎとの関連付けよりも後に行う場合には、関連付けられた補修跡Ｒｎが存在する評価区間Ｗｍについて、要修繕箇所存在信号Ｘｍが未だ生成されていないときに要修繕箇所存在信号Ｘｍを生成すれば良いということになる。
【００８１】
したがって、支援装置１における上記動作は、補修跡Ｒｎに関していえば、関連付けられた補修跡Ｒｎが存在する評価区間Ｗｍについて、要修繕箇所存在信号Ｘｍが未だ生成されていないときには、要修繕箇所存在信号Ｘｍを生成し、対応する評価区間Ｗｍと関連付けて記憶装置に記憶させる手段（手段（Ｊ））ということになり、支援方法に即していえば、関連付けられた補修跡Ｒｎが存在する評価区間Ｗｍについて、要修繕箇所存在信号Ｘｍが未だ生成されていないときには、要修繕箇所存在信号Ｘｍを生成し、対応する評価区間Ｗｍと関連付けて記憶装置に記憶させる工程（工程（ｊ））に相当するということになる。
【００８２】
なお、要修繕箇所判定部１１は、上記のようにして関連付けられた亀甲状ひび割れＫｎ又は補修跡Ｒｎが存在する評価区間Ｗｍについて、要修繕箇所存在信号Ｘｍを生成し、対応する評価区間Ｗｍと関連付けて記憶装置１４の要修繕箇所情報記憶部１４Ｄに記憶させるに際し、それぞれの評価区間Ｗｍについて、その評価区間Ｗｍと関連付けられている全亀甲状ひび割れＫｎの面積ＫＡｎを積算し、その評価区間Ｗｍ内に存在する亀甲状ひび割れＫｎの合計面積ＫＴＡｍとして、要修繕箇所情報記憶部１４Ｄに記憶させるとともに、その評価区間Ｗｍと関連付けられている全補修跡Ｒｎの面積ＲＡｎを積算し、その評価区間Ｗｍ内に存在する補修跡Ｒｎの合計面積ＲＴＡｍとして、要修繕箇所情報記憶部１４Ｄに記憶させる。
【００８３】
要修繕箇所判定部１１によって行われる上記動作が、それぞれの評価区間Ｗｍについて、関連付けられている全亀甲状ひび割れＫｎ又は全補修跡Ｒｎの面積を、それぞれ、評価区間ごとに積算し、それぞれの評価区間Ｗｍにおける亀甲状ひび割れＫｎの合計面積ＫＴＡｍ又は補修跡Ｒｎの合計面積ＲＴＡｍとして記憶装置に記憶する手段（手段（Ｍ））に相当し、支援方法に即していえば、それぞれの評価区間Ｗｍについて、関連付けられている全亀甲状ひび割れＫｎ又は全補修跡Ｒｎの面積を、それぞれ、評価区間ごとに積算し、それぞれの評価区間Ｗｍにおける亀甲状ひび割れＫｎの合計面積ＫＴＡｍ又は補修跡Ｒｎの合計面積ＲＴＡｍとして記憶装置に記憶する工程（工程（ｍ））に相当することになる。
【００８４】
以上のようにして記憶装置１４の要修繕箇所情報記憶部１４Ｄには、例えば以下のようなデータが記憶されることになる。
Ｗ１：Ｋ１（ＫＰ１、ＫＡ１）、Ｋ２（ＫＰ２、ＫＡ２）、ＫＴＡ１、Ｒ１（ＲＰ１、ＲＡ１）、ＲＴＡ１、Ｘ１
Ｗ２：Ｋ３（ＫＰ３、ＫＡ３）、ＫＴＡ２、Ｒ２（ＲＰ２、ＲＡ２）、ＲＴＡ２、Ｘ２
・・・・・・・・・・・・・・・・・・・・・・・・・・・・・・・・・・・
Ｗｍ：Ｋｎ（ＫＰｎ、ＫＡｎ）、Ｋｎ＋１（ＫＰｎ＋１、ＫＡｎ＋１）、ＫＴＡｍ、Ｒｎ−３（ＲＰｎ−３、ＲＡｎ−３）、ＲＴＡｍ、Ｘｍ
・・・・・・・・・・・・・・・・・・・・・・・・・・・・・・・・・・・
【００８５】
４．地図上への表示
上記のようにして、要修繕箇所情報記憶部１４Ｄに、各評価区間Ｗｍについて関連付けられた要修繕箇所存在信号Ｘｍが存在するか否かの情報が記憶されると、地図データ生成部１２Ａは、当該情報と、一時記憶部１０Ｃから読み出した地図データと、評価区間情報記憶部１４Ｃから読み出した各評価区間Ｗｍの地図上での位置情報に基づいて、地図上で、関連付けられた要修繕箇所存在信号Ｘｍが存在する評価区間Ｗｍに相当する位置に、要修繕箇所存在信号Ｘｍを例えばフラグなどの図形にして重ね合わせて表示し、要修繕箇所が存在する評価区間Ｗｍがどこに存在するのかが視覚的に把握できるようにした地図データを生成する。生成された地図データは、入出力部２を介して、表示装置６、プリンタ７、外部メモリ４、又は通信ネットワーク３に出力される。
【００８６】
このようにして、例えば表示装置６に表示される地図データの一例を図４に示す。図４に見られるとおり、管理対象道路上で、要修繕箇所が存在する評価区間にはフラグが立てられており、これにより、例えば道路管理者などの関係者は、管理対象道路のどの区間に早急に対応が必要な要修繕箇所が存在するのかを視覚を通じて直感的に知ることができる。なお、関連付けられた要修繕箇所存在信号Ｘｍが存在することを示す図形はフラグに限られず、他の図形、記号、符号、或いはそれらと色彩の組み合わせなどであっても良いことは勿論である。
【００８７】
地図データ生成部１２Ａは、上記のようにして、記憶装置１４中の評価区間情報記憶部１４Ｃに記憶されている評価区間Ｗｍの地図上の位置情報と、それと関連付けられて要修繕箇所情報記憶部１４Ｄに記憶されている要修繕箇所存在信号Ｘｍとに基づいて、管理対象道路における対応する評価区間Ｗｍに相当する位置に要修繕箇所存在信号Ｘｍが表示された地図データを生成し、出力する手段（手段（Ｆ））として機能する。これを支援方法に即していえば、記憶装置１４に記憶されている評価区間Ｗｍとそれと関連付けられた要修繕箇所存在信号Ｘｍとに基づいて、管理対象道路における対応する評価区間Ｗｍに相当する位置に要修繕箇所存在信号Ｘｍが表示された地図データを生成し、出力する工程（工程（ｆ））ということになる。
【００８８】
本発明の支援装置１は、その好適な一例において、地図データ生成部１２Ａに加えて、要修繕面積判定部１２Ｂを有している。要修繕面積判定部１２Ｂは、地図データ生成部１２Ａが、要修繕箇所情報記憶部１４Ｄから各評価区間Ｗｍについて関連付けられた要修繕箇所存在信号Ｘｍが存在するか否かの情報を読み出す際に、関連付けられた要修繕箇所存在信号Ｘｍが存在する各評価区間Ｗｍにおける亀甲状ひび割れＫｎの合計面積ＫＴＡｎ及び／又は補修跡Ｒｎの合計面積ＲＴＡｎを併せて読み出し、当該評価区間Ｗｍ内に存在する亀甲状ひび割れＫｎの合計面積ＫＴＡｎ又は補修跡Ｒｎの合計面積ＲＴＡｎ、或いはその両者の合計面積（ＫＴＡｎ＋ＲＴＡｎ）を、予め設定した閾値と比較して、例えば「大」「小」の２つに、又は「大」「中」「小」の３つに、或いはそれ以上の数にランク分けする判定機能を有している。
【００８９】
要修繕面積判定部１２Ｂは、これら判定して得られたランクについての情報を、対応する評価区間Ｗｍと関連づけて地図データ生成部１２Ａに出力する。地図データ生成部１２Ａは、要修繕面積判定部１２Ｂから評価区間Ｗｍについて、その内部に存在する要修繕面積をランク分けした情報を受け取ると、そのランクに応じて、対応する評価区間Ｗｍに重ね合わせて表示する要修繕箇所存在信号Ｘｍに相当するフラグなどの図形の大きさ、色、形などを異ならせた地図データを生成する。
【００９０】
要修繕面積判定部１２Ｂからの信号を受けて生成される地図データの一例を図５に示す。図５に見られるとおり、要修繕箇所が存在する評価区間に立てられているフラグの色彩には「赤」（図５では塗潰しで示す）、「黄」（図５ではハッチングで示す）、及び「白」（図５では白抜きで示す）があり、「赤」のフラグは、当該評価区間Ｗｍ内に存在する要修繕箇所は面積が大きいことを、「白」のフラグは、当該評価区間Ｗｍ内に存在する要修繕箇所は面積が小さいことを、「黄」のフラグは、当該評価区間Ｗｍ内に存在する要修繕箇所の面積が「赤」と「白」の中間にあることを、それぞれ示している。これにより、例えば道路管理者などの関係者は、管理対象道路のどの区間に早急に対応が必要な要修繕箇所が存在するのかだけでなく、要修繕箇所の面積が大きいか小さいか、その中間かまでをも視覚を通じて直感的に知ることができる。なお、ランクに応じて、関連付けられた要修繕箇所存在信号Ｘｍが存在することを示す図形、記号、符号等の色彩を異ならせるのではなく、その大きさや形状を異ならせるようにしても良いし、大きさや形状に加えて色彩を異ならせても良く、さらには、要修繕箇所の面積が大きい評価区間Ｗｍに表示する図形、符号、記号等は、点滅させて、見る者の注意を喚起するようにしても良い。
【００９１】
以上のようにして、地図データ生成部１２Ａと要修繕面積判定部１２Ｂは、個々の評価区間Ｗｍにおける亀甲状ひび割れＫｎの合計面積ＫＴＡｍ、補修跡Ｒｎの合計面積ＲＴＡｍ、又はＫＴＡｍとＲＴＡｍの加算値を、その大きさに応じて、１又は２以上のランクに分け、該当するランクに応じて、個々の評価区間Ｗｍについて生成される要修繕箇所存在信号Ｘｍを異ならせる手段（手段（Ｏ））として機能する。また、地図データ生成部１２Ａと要修繕面積判定部１２Ｂによって実行される上記動作が、個々の評価区間Ｗｍにおける亀甲状ひび割れＫｎの合計面積ＫＴＡｍ、補修跡Ｒｎの合計面積ＲＴＡｍ、又はＫＴＡｍとＲＴＡｍの加算値を、その大きさに応じて、１又は２以上のランクに分け、該当するランクに応じて、個々の評価区間Ｗｍについて生成される要修繕箇所存在信号Ｘｍを異ならせる工程（工程（ｏ））に相当することになる。
【００９２】
なお、評価区間Ｗｍの道路延長方向の長さＬは、外部からの入力によって適宜設定、変更が可能である。例えば、管理対象道路に存在する要修繕箇所を俯瞰的に把握したい場合には、長さＬを比較的長い長さに設定し、例えば、１００ｍ或いは２００ｍのスパンで、要修繕箇所が存在するか否か、存在するとすればその面積は大きいか、小さいかを地図上に表示すれば良く、また、管理対象道路に存在する要修繕箇所を、より細かく把握したい場合には、長さＬを比較的短い長さに設定し、例えば、１０ｍ或いは２０ｍのスパンで、要修繕箇所が存在するか否か、存在するとすればその面積は大きいか、小さいかを地図上に表示すれば良い。
【００９３】
評価区間Ｗｍの道路延長方向の長さＬの設定、変更は、道路管理者又は関係者が、キーボード５、タッチパネル機能付きの表示装置６、或いはインターネットなどの通信ネットワーク３から、所望の長さＬの数値を入力するか、地図上での対応する長さを指定して、入出力部２を介して支援装置１に入力することにより行うことができる。このように、支援装置１は、長さＬを外部からの入力に基づいて変更する手段（手段（Ｑ））を有しており、これを支援方法に即して言えば、長さＬを外部からの入力に基づいて変更する工程（工程（ｑ））を有していることになる。
【００９４】
同様に、評価区間Ｗｍを設定するときの基準となる地点Ｂの位置も、外部からの入力によって適宜設定、変更が可能である。地点Ｂの位置を任意に変更可能とすることで、例えば評価区間Ｗｍの開始位置を管理対象道路の起点や、既に維持修繕計画を策定した区間の終了点と正確に一致させることができるので、極めて便利である。地点Ｂの位置の設定、変更は、道路管理者又は関係者が、キーボード５、タッチパネル機能付きの表示装置６、或いはインターネットなどの通信ネットワーク３から、所望の位置座標を入力するか、地図上での対応する位置を指定して、入出力部２を介して支援装置１に入力することにより行うことができる。
【００９５】
５．詳細データの表示
支援装置１は、例えば、先に示した図４又は図５のような地図データを表示装置６などに出力するだけでなく、選択された評価区間Ｗｍに対応する要修繕箇所についての詳細な情報を表示装置６等に出力する機能を備えている。すなわち、道路管理者又は関係者が、例えば、表示装置６の画面上で、表示された地図データ中の関心のある評価区間の場所をタッチ又はクリックするなどして選択すると、その信号は、選択された場所の表示装置６の画面上での位置情報とともに、評価区間選択情報ＳＷｍ（但し、ｍは整数）として、選択信号入力受付部１３Ａに入力され、一時記憶されるとともに、必要情報読出部１３Ｂに送られる。
【００９６】
評価区間選択情報ＳＷｍの入力を受けた必要情報読出部１３Ｂは、選択された場所の表示装置６の画面上での位置情報を地図データ生成部１２Ａに送り、その選択された場所がどの評価区間Ｗｍに相当するかを照会する。選択された評価区間Ｗｍが判明すると、必要情報読出部１３Ｂは要修繕箇所情報記憶部１４Ｄから該当する評価区間Ｗｍについての詳細情報を読み出し、地図データ生成部１２Ａに出力する。地図データ生成部１２Ａは、必要情報読出部１３Ｂから、特定の評価区間Ｗｍについての詳細情報の入力があると、出力中の地図データに代えて、又は出力中の地図データとともに出力し、表示装置６に表示させる。
【００９７】
上記のようにして、表示装置６に表示される評価区間Ｗｍについての詳細データの一例を図６に示す。図６に示すとおり、評価区間Ｗｍの番号、評価区間の長さＬ、当該区間内に存在する亀甲状ひび割れＫｎの数、及び合計面積ＫＴＡｎ、当該区間内に存在する補修跡Ｒｎの数、及び合計面積ＡＴＡｎが表示されている。この表示は、先に表示されている地図データの一部又は全部を置き換える形で表示しても良いし、表示画面上での地図データの表示範囲を一部縮小して、地図データとともに表示するようにしても良い。また、上記詳細情報に加えて、必要に応じて、個々の亀甲状ひび割れＫｎの面積ＫＡｎ及び／又は位置ＫＰｎ、及び個々の補修跡Ｒｎの面積ＲＡｎ及び／又は位置ＲＡｎを表示しても良い。
【００９８】
一時記憶部１０Ｃに記憶されている道路地図データ等に、当該管理対象道路の路線名、路線番号、上下り線の区別、区間距離などの情報が含まれている場合には、必要情報読出部１３Ｂが適宜読み出して、地図データ生成部１２Ａに送り、選択された評価区間Ｗｍについての上記詳細情報に付加するようにしても良い。或いは、例えば表示装置６に表示される地図データ上に、「路線詳細」などのボタンを設けておき、当該ボタンをタッチ又はクリックする選択信号の入力があったとき、それを選択信号入力受付部１３Ａが受け付けて、必要情報読出部１３Ｂが適宜読み出して、地図データ生成部１２Ａに送り、出力して、表示装置６に表示させる。
【００９９】
また、評価区間Ｗｍに、要修繕箇所の合計面積に応じて「大」「中」「小」などのランク分けがなされている場合には、地図データ生成部１２Ａが選択された評価区間Ｗｍの上記詳細情報を出力する際に、図６に示すように、当該評価区間Ｗｍがどのランクに属するかの情報も併せて表示装置６に表示させるのが好ましい。さらに、ランク別に推奨される修繕方法を予め記憶装置１４に記憶させておき、地図データ生成部１２Ａが、選択された評価区間Ｗｍの上記詳細情報を出力する際に、選択された評価区間Ｗｍがどのランクに属するかの情報とともに、選択された評価区間Ｗｍに推奨される修繕方法についての情報を併せて出力し、適宜表示装置６に表示させる場合には、維持修繕計画の策定時の参考となるので、極めて好ましい。
【０１００】
なお、地図データ生成部１２Ａによって生成される地図データ上で、要修繕箇所存在信号Ｘｍに相当するフラグなどの図形等と、それが表示されている評価区間Ｗｍとの対応関係は明らかであるので、必要情報読出部１３Ｂからの照会があったとき、選択された場所の表示装置６の画面上での位置が、直ちに特定の評価区間Ｗｍに該当せず、要修繕箇所存在信号Ｘｍに相当するフラグなどの図形等の表示位置であったとしても、地図データ生成部１２Ａは、その選択されたフラグなどの図形等の表示位置がどの評価区間Ｗｍに相当するかを判断し、当該評価区間Ｗｍを選択された評価区間Ｗｍとして、必要情報読出部１３Ｂに出力することができることは勿論である。
【０１０１】
以上のとおり、選択信号入力受付部１３Ａ、必要情報読出部１３Ｂ、及び地図データ生成部１２Ａは、評価区間Ｗｍを選択する選択入力があったとき、選択された評価区間Ｗｍと関連付けられている亀甲状ひび割れＫｎ及び／又は補修跡Ｒｎについての情報を出力する手段であって、前記情報が当該評価区間Ｗｍと関連付けられている亀甲状ひび割れＫｎの数又は位置ＫＰｎ、及び／又は、当該評価区間Ｗｍと関連付けられている補修跡Ｒｎの数又は位置ＲＰｎを含む手段（手段（Ｋ））、又は前記手段であって、出力される亀甲状ひび割れＫｎ又は補修跡Ｒｎについての前記情報が、さらに、当該評価区間Ｗｍと関連付けられている個々の亀甲状ひび割れＫｎの面積ＫＡｎ及び／又は合計面積ＫＴＡｍ、又は当該評価区間Ｗｍと関連付けられている個々の補修跡Ｒｎの面積ＲＡｎ及び／又は合計面積ＲＴＡｍを含む手段（手段（Ｎ））として機能する。
【０１０２】
また、支援方法に即していえば、選択信号入力受付部１３Ａ、必要情報読出部１３Ｂ、及び地図データ生成部１２Ａによって実行される上記動作が、評価区間Ｗｍを選択する選択入力があったとき、選択された評価区間Ｗｍと関連付けられている亀甲状ひび割れＫｎ及び／又は補修跡Ｒｎについての情報を出力する工程であって、前記情報が当該評価区間Ｗｍと関連付けられている亀甲状ひび割れＫｎの数又は位置ＫＰｎ、及び／又は、当該評価区間Ｗｍと関連付けられている補修跡Ｒｎの数又は位置ＲＰｎを含む工程（工程（ｋ））、又は、前記工程であって、出力される亀甲状ひび割れＫｎ又は補修跡Ｒｎについての前記情報が、さらに、当該評価区間Ｗｍと関連付けられている個々の亀甲状ひび割れＫｎの面積ＫＡｎ及び／又は合計面積ＫＴＡｍ、又は当該評価区間Ｗｍと関連付けられている個々の補修跡Ｒｎの面積ＲＡｎ及び／又は合計面積ＲＴＡｍを含む工程（工程（ｎ））に相当する。
【０１０３】
６．舗装路面画像の表示
支援装置１は、さらに、上記のようにして選択された評価区間Ｗｍに対応する対象路面の撮像画像を表示装置６等に出力する機能を備えている。すなわち、道路管理者又は関係者が、例えば、表示装置６の画面上で、表示された地図データ中の関心のある評価区間の場所をタッチ又はクリックするなどして選択するとともに、さらに表示装置６の画面上で「撮像画像表示」のボタンを選択すると、その信号は、選択された場所の表示装置６の画面上での位置情報とともに、撮像画像表示区間選択情報ＳＷＺｍ（但し、ｍは整数）として、選択信号入力受付部１３Ａに入力され、一時記憶されるとともに、必要情報読出部１３Ｂに送られる。
【０１０４】
撮像画像表示区間選択情報ＳＷＺｍの入力を受けた必要情報読出部１３Ｂは、選択された場所の表示装置６の画面上での位置情報を地図データ生成部１２Ａに送り、その選択された場所がどの評価区間Ｗｍに相当するかを照会する。選択された評価区間Ｗｍが判明すると、必要情報読出部１３Ｂは、評価区間情報記憶部１４Ｃに照会して、選択された評価区間Ｗｍがどの撮像画像Ｚｎ、Ｚｎ＋１、Ｚｎ＋２・・・に対応するかについての情報を得、該当する撮像画像Ｚｎ、Ｚｎ＋１、Ｚｎ＋２・・・を撮像画像データ記憶部１４Ｂから読み出して、地図データ生成部１２Ａに出力する。地図データ生成部１２Ａは、必要情報読出部１３Ｂから、選択された評価区間Ｗｍに該当する撮像画像Ｚｎ、Ｚｎ＋１、Ｚｎ＋２・・・の入力があると、出力中の地図データ又は評価区間Ｗｍの詳細情報に代えて、又は出力中の地図データ又は評価区間Ｗｍの詳細情報とともに出力し、表示装置６に表示させる。
【０１０５】
表示装置６に表示される選択された評価区間Ｗｍの撮像画像の一例を図７に示す。図７に示すとおり、当該評価区間Ｗｍの長さＬは１０ｍであるので、撮像画像Ｚｎの延長方向長さＺＬが例えば５ｍである場合には、評価区間Ｗｍの撮像画像は、２枚の撮像画像Ｚｎ、Ｚｎ＋１から構成されることになる。なお、撮像画像Ｚｎの延長方向の撮像範囲の区切りと評価区間Ｗｍの延長方向の区切りとが一致しない場合には、地図データ生成部１２Ａが対応する１又は複数の撮像画像Ｚｎの対応する範囲のみのデータを出力すれば良い。なお、地図データ生成部１２Ａから出力される撮像画像は、撮像されたままの撮像画像Ｚｎｏｒに相当するものであっても良いし、これに認識されたパターンのトレース画像Ｚｎｔｒを重ね合わせた撮像画像Ｚｎであっても良い。
【０１０６】
以上のとおり、選択信号入力受付部１３Ａ、必要情報読出部１３Ｂ、撮像画像データ記憶部１４Ｂ、評価区間情報記憶部４Ｃ、及び地図データ生成部１２Ａは、評価区間Ｗｍを選択する選択入力があったとき、選択された評価区間Ｗｍに対応する舗装路面の撮像画像、又は認識されたパターンを重ね合わせた前記舗装路面の撮像画像を出力する手段（手段（Ｐ）として機能する。また、これを支援方法に即していえば、本発明の支援方法は、評価区間Ｗｍを選択する選択入力があったとき、選択された評価区間Ｗｍに対応する舗装路面の撮像画像、又は認識されたパターンを重ね合わせた前記舗装路面の撮像画像を出力する工程（工程（ｐ））を有しているということになる。
【０１０７】
なお、以上説明した支援装置１及びそれによって実行される支援方法は、外部メモリ４、キーボード５、表示装置６などと直接接続されるコンピュータによって実現されているが、他の一態様としては、本発明の支援装置及び支援方法を実現するサーバは、インターネットなどの通信ネットワーク上に存在し、適宜のクライアント端末に、本発明の支援装置及び支援方法をインターネットなどの通信ネットワークを介してクラウドサービスとして提供するものである。
【０１０８】
また、上に説明した本発明の支援装置及び支援方法は、１又は２以上のコンピュータを所定のプログラムの下で独立に又は相互に関連させて動作させることによって実現される。１又は２以上のコンピュータを本発明の支援装置として動作させ、上述した支援方法を実行させるコンピュータプログラムは、コンピュータに読み取り可能な形式で、コンピュータを構成する記憶装置又はネットワーク上に存在するサーバ装置に記憶されている。なお、本明細書において、コンピュータとは、携帯端末、タブレット端末、デスクトップ端末、ラップトップ端末、パームトップ端末など、大きさや形態を問わず、全てのコンピュータを包含するものである。
【産業上の利用可能性】
【０１０９】
以上説明したとおり、本発明の舗装の維持修繕計画策定支援装置及び支援方法によれば、撮像された舗装路面の画像に基づいて、早急に修繕が必要とされる亀甲状ひび割れ及び／又は補修跡の存在の有無、位置、面積を自動的に把握し、地図上に表示することができるので、道路管理者は、管理対象とする舗装道路の現状を正確かつ視覚的に把握し、舗装の維持修繕計画を策定することが容易になり、本発明の支援方法を実現するコンピュータプログラムとともに、その産業上の利用可能性は多大である。
【符号の説明】
【０１１０】
１      支援装置
２      入出力部
３      通信ネットワーク
４      外部メモリ
５      キーボード
６      表示装置
７      プリンタ
８      道路地図データベース
９Ａ    撮像画像の一時記憶部
９Ｂ    パターン認識部
９Ｃ    辞書パターン記憶部
９Ｄ    位置情報抽出部
９Ｅ    面積算出部
１０Ａ    長さＬの一時記憶部
１０Ｂ    地点Ｂの位置情報一時記憶部
１０Ｃ    道路地図データの一時記憶部
１０Ｄ    評価区間設定部
１１      要修繕箇所判定部
１２Ａ    地図データ生成部
１２Ｂ    要修繕面積判定部
１３Ａ    評価区間の選択信号入力受付部
１３Ｂ    必要情報読出部
１４      記憶装置
１４Ａ    亀甲状ひび割れ情報及び／又は補修跡情報記憶部
１４Ｂ    撮像画像データ記憶部
１４Ｃ    評価区間情報記憶部
１４Ｄ    要修繕箇所情報記憶部
【図１】
2018154986.tif 000003
【図２】
2018154986.tif 000004
【図３】
2018154986.tif 000005
【図４】
2018154986.tif 000006
【図５】
2018154986.tif 000007
【図６】
2018154986.tif 000008
【図７】
2018154986.tif 000009
【図８】
2018154986.tif 000010